(57)【要約】【課題】パッチパネルのパネルとブラケット構造の提供。【解決手段】一種のパッチパネルのパネルとブラケット構造である。パネルに連動式レバーを設置して、当該バーを動かすことによってその当て板を柔軟性フック形留め具に当てて連動させ、パネルはこの連動操作により簡単に外され、メンテナンスや点検、測定などができる。道具なしで入れ外しは簡易にできる。【選択図】図１
0003122236.tif 000002
【実用新案登録請求の範囲】
【請求項１】
当該パッチパネルは以下のものを含むことを特徴とするパネルとブラケット構造、
ブラケット、それには複数の位置付け槽を有し、パネルの挟み込みに供し、当該ブラケットの両側には位置付け穴を設置し、締め付け工具により、当該ブラケットを予定な位置に固定することができ、
複数のパネル、それは各パネル本体の内部の一側から位置付け壁を設置し、ほかの側は柔軟性フック形留め具を設置し、また当該位置付け壁とパネル本体の間に位置付け溝を形成し、各パネルを位置付け溝によって、バラケットの位置付け槽内の一側の内枠縁に挿入させ、且つパネルのほかの側の柔軟性フック形留め具のフックの固定槽を当該位置付け槽内のほかの側の内枠縁に挟み込むことによって固定でき、また、各パネルの位置付け壁は更に固定槽を設置し、当該パネルが柔軟性フック形留め具にある両側も延ばし壁を設置し、各延ばし壁には固定槽を有していて、パネルを前述の各固定槽とバックパネルの各ラッチによって固定させる。さらに、前述の位置付け壁及び延ばし壁はパネル内に設置された内壁と適当な距離を保ち、且つ当該二つの内壁の間には中空の長形槽を形成し、
複数の回路板、それぞれ複数の電信ソケットを有し、パネルの長形槽に進入でき、
複数の背面パネル、それぞれの両側にラッチを設置し、それぞれをパネルの位置付け壁及び延ばし壁に設置された固定槽内に挟み込んで固定でき、
その特徴は当該パネルのパネル本体の一側は凹槽を有し、柔軟性フック形留め具が外に開放する状態を呈させ、当て面を形成し、且つ各当て面は柔軟性フック形留め具と適当な距離を保ち、各当て面のほかの側はそれぞれ貫通槽と接続し、各貫通槽はまたパネル本体の内側にプリセットされた位置付け凹縁と通し、連動式レバーをパネル本体の凹槽に設置させ、当て面の上方に当て、また当該連動式レバーの中央に設置された当て板によって、柔軟性フック形留め具のフックの外側の凹縁を当て、連動式レバーの両側はそれぞれヒンジを有し、それぞれは前述の貫通槽を通してパネル本体内の位置付け凹縁に設置され、これにより、連動式レバーを移動すると、その両側のヒンジがパネル本体の両側の位置付け凹縁でヒンジ動作を行うとき、相対的にその当て板が柔軟性フック形留め具のフックの固定槽を連動することにより、ブラケットの内枠縁を離脱し、より大きな隙間を形成するものを特徴とするパッチパネルのパネルとブラケット構造。
【請求項２】
使用者の力入れる時の便宜のために、当該連動式レバーはさらに突出板を設置できることを特徴とする請求項１記載のパッチパネルのパネルとブラケット構造。
【考案の詳細な説明】
【技術分野】
【０００１】
本考案はパッチパネルのパネルとブラケット構造である。パネルに連動式バーを設置し、該当バーを動かすことにより連動で柔軟性フック形留め具を外し、パネルを簡易に取り外す。メンテナンス作業や、点検測定作業は簡単にできる。この装置により道具を使わずに簡易にパネルを取り外しできる。
【背景技術】
【０００２】
従来のパッチパネルのパネルとブラケット構造はネジ、ナットなどの締め付け工具をドライバの使用に合わせて、組立作業や取り外しの作業を完成しようとする。それらの作業が煩雑である上に作業時間と人員の無駄が発生し、且つ道具が必要であるため、ある業者はネジ留め式の構造を改良し、パネルのブラケット構造をスロットとフックのはめ合わせ構造に改造したが、工具を使用する必要ないものの、力いれにくいか、つかみにくいなどの作業性悪いところがある。また、力入れすぎではめ合わせ部に割れ発生などのこともあって、使用者へ不便をもたらす。
【０００３】
よって、本考案の考案者は従来の欠陥を改良し、研究とテストを重ねて本パッチパネルのパネルと組立構造の設計を提出した。
【考案の開示】
【考案が解決しようとする課題】
【０００４】
本考案の目的は一種のパッチパネルのパネルとバラケット構造である。パネルに設置された連動バーの操作により、パネルを連動させてブラケットの留め具を外し、これで道具なしで装置のメンテナンス便利性と検査作業の簡易性を図る。
【課題を解決するための手段】
【０００５】
請求項１の考案は、当該パッチパネルは以下のものを含むことを特徴とするパネルとブラケット構造、
ブラケット、それには複数の位置付け槽を有し、パネルの挟み込みに供し、当該ブラケットの両側には位置付け穴を設置し、締め付け工具により、当該ブラケットを予定な位置に固定することができ、
複数のパネル、それは各パネル本体の内部の一側から位置付け壁を設置し、ほかの側は柔軟性フック形留め具を設置し、また当該位置付け壁とパネル本体の間に位置付け溝を形成し、各パネルを位置付け溝によって、バラケットの位置付け槽内の一側の内枠縁に挿入させ、且つパネルのほかの側の柔軟性フック形留め具のフックの固定槽を当該位置付け槽内のほかの側の内枠縁に挟み込むことによって固定でき、また、各パネルの位置付け壁は更に固定槽を設置し、当該パネルが柔軟性フック形留め具にある両側も延ばし壁を設置し、各延ばし壁には固定槽を有していて、パネルを前述の各固定槽とバックパネルの各ラッチによって固定させる。さらに、前述の位置付け壁及び延ばし壁はパネル内に設置された内壁と適当な距離を保ち、且つ当該二つの内壁の間には中空の長形槽を形成し、
複数の回路板、それぞれ複数の電信ソケットを有し、パネルの長形槽に進入でき、
複数の背面パネル、それぞれの両側にラッチを設置し、それぞれをパネルの位置付け壁及び延ばし壁に設置された固定槽内に挟み込んで固定でき、
その特徴は当該パネルのパネル本体の一側は凹槽を有し、柔軟性フック形留め具が外に開放する状態を呈させ、当て面を形成し、且つ各当て面は柔軟性フック形留め具と適当な距離を保ち、各当て面のほかの側はそれぞれ貫通槽と接続し、各貫通槽はまたパネル本体の内側にプリセットされた位置付け凹縁と通し、連動式レバーをパネル本体の凹槽に設置させ、当て面の上方に当て、また当該連動式レバーの中央に設置された当て板によって、柔軟性フック形留め具のフックの外側の凹縁を当て、連動式レバーの両側はそれぞれヒンジを有し、それぞれは前述の貫通槽を通してパネル本体内の位置付け凹縁に設置され、これにより、連動式レバーを移動すると、その両側のヒンジがパネル本体の両側の位置付け凹縁でヒンジ動作を行うとき、相対的にその当て板が柔軟性フック形留め具のフックの固定槽を連動することにより、ブラケットの内枠縁を離脱し、より大きな隙間を形成するものを特徴とするパッチパネルのパネルとブラケット構造としている。
請求項２の考案は、使用者の力入れる時の便宜のために、当該連動式レバーはさらに突出板を設置できることを特徴とする請求項１記載のパッチパネルのパネルとブラケット構造としている。
【考案の効果】
【０００６】
本考案はパッチパネルのパネルとバラケット構造である。パネルに連動式レバーを設置することで、柔軟性フック形留め具を連動させてフックを曲げ、パネルを容易に取り外し、メンテナンス作業や、点検測定作業は簡単にでき、道具を使わずに簡易にパネルを取り外す実用効果を達します。
【考案を実施するための最良の形態】
【０００７】
図１〜図１１に示すように、本考案は一種のパッチパネルのパネルとブラケット構造である。その内、当該パッチパネルには以下のものを含む。
【０００８】
ブラケット（１）。それは複数の位置付け槽（１１）を有し、パネル（２）の挟み込みに供する。当該ブラケット（１）の両側には位置付け穴（１３）を設置し、締め付け工具（図面に示されていない）により、当該ブラケット（１）を予定な位置に固定することができる。
【０００９】
複数のパネル（２）。それは各パネル本体（２１）の内部の一側から位置付け壁（２２）を設置し（図３参照）、ほかの側は柔軟性フック形留め具（２３）を設置する。また当該位置付け壁（２２）とパネル本体（２１）の間に位置付け溝（２２１）（図７参照）を形成し、各パネル（２）を位置付け溝（２２１）によって、バラケット（１）の位置付け槽（１１）内の一側の内枠縁（１１１）に挿入させ、且つパネル（２）のほかの側の柔軟性フック形留め具（２３）のフック（２３１）の固定槽（２３１１）を当該位置付け槽（１１）内のほかの側の内枠縁（１１２）に挟み込むことによって固定できる。また、各パネル（２）の位置付け壁（２２）は更に固定槽（２２２）を設置し、パネル（２）が柔軟性フック形留め具（２３）にある両側も延ばし壁（２４）を設置し、各延ばし壁（２４）は固定槽（２４１）を有していて、パネル（２）を前述の各固定槽（２２２）（２４１）とバックパネル（４）の各ラッチ（４１）によって固定させる。さらに、前述の位置付け壁（２２）及び延ばし壁（２４）はパネル（２）内に設置された内壁（２５）（２６）（図３参照）と適当な距離を保ち、且つ当該二つの内壁（２５）（２６）の間には中空の長形槽（２７）を形成する。
【００１０】
複数の回路板（３）。それぞれ複数の電信ソケット（３１）を有し、パネル（２）長形槽（２７）に進入できる。
【００１１】
複数の背面パネル（４）。それぞれの両側にラッチ（４１）を設置し、それぞれをパネル（２）の位置付け壁（２２）及び延ばし壁（２４）に設置された固定槽（２２２）（２４１）内に挟み込んで固定できる。
【００１２】
その特徴は、当該パネル（２）のパネル本体（２１）の一側は凹槽（２１１）（図１、図１０参照）を有し、柔軟性フック形留め具（２３）が外に開放する状態を呈させ、当て面（２１０）を形成し、且つ各当て面（２１０）は柔軟性フック形留め具（２３）と適当な距離（２１０１）（図１０参照）を保つ。また、各当て面（２１０）のほかの側はそれぞれ貫通槽（２１３）と接続し、各貫通槽（２１３）はまたパネル本体（２１）の内側にプリセットされた位置付け凹縁（２１４）と通し（図３、図１１参照）、連動式レバー（５）をパネル本体（２１）の凹槽（２１１）に設置させ、当て面（２１０）の上方に当てる。また当該連動式レバー（５）の中央に設置された当て板（５１）によって、柔軟性フック形留め具（２３）のフック（２３１）の外側の凹縁（２３１２）を当てる。連動式レバー（５）の両側はそれぞれヒンジ（５２）を有し、それぞれは前述の貫通槽（２１３）を通してパネル本体（２１）内の位置付け凹縁（２１４）に設置される。これにより、連動式レバー（５）を移動すると、その両側のヒンジ（５２）がパネル本体（２１）の両側の位置付け凹縁（２１４）でヒンジ動作を行うとき、相対的にその当て板（５１）が柔軟性フック形留め具（２３）のフック（２３１）の固定槽（２３１１）を連動することにより、ブラケット（１）の内枠縁（１１２）（図９参照）を離脱し、より大きな隙間を形成する。そこで、パネル（２）の取り外すは可能になり、メンテナンス作業や、点検測定作業は簡単にできる。道具を使わずに簡易にパネルを取り外しできる。
【００１３】
また、使用者の力入れる時の便宜のために、前述の連動式レバー（５）はさらに突出板（５３）を設置できる。
【００１４】
前記の本考案の記述により、パネルに連動式レバーを設置することで、柔軟性フック形留め具を連動させてフックを曲げ、パネルを容易に取り外し、メンテナンス作業や、点検測定作業は簡単にでき、道具を使わずに簡易にパネルを取り外す実用効果を達します。
【図面の簡単な説明】
【００１５】
【図１】本考案に係わる実施例の立体分解図である。
【図２】本考案に係わる実施例の立体組合図である。
【図３】本考案に係わる実施例のほかの角度の立体分解図である。
【図４】本考案に係わる実施例のほかの角度の立体組合図である。
【図５】本考案に係わる実施例のパネル、回路板の部分パーツの立体組合拡大図である。
【図６】本考案に係わる実施例のパネル、回路板の部分パーツの側視組合拡大図である。
【図７】図６のＢ−Ｂ断面を示す図である。
【図８】図６のＡ−Ａ断面を示す図である。
【図９】図６のＡ−Ａ断面の動作を示す図である。
【図１０】本考案に係わる実施例の連動式レバーとパネルの立体分解拡大図である。
【図１１】本考案に係わる実施例のパネル部分の再拡大図である。
【符号の説明】
【００１６】
１  ブラケット
２  パネル
３  複数の回路板
４  複数の背面パネル
５  連動式レバー
１１  位置付け槽
１３  位置付け穴
２１  パネル本体
２２  位置付け壁
２３  柔軟性フック形留め具
２４  延ばし壁
２５、２６  内壁
２７  長形槽
３１  複数の電信ソケット
４１  ラッチ
５１  当て板
５２  ヒンジ
１１１、１１２  内枠縁
２１０  当て面
２１１  凹槽
２１３  貫通槽
２１４  凹縁
２２１  位置付け溝
２３１  フック
２２２、２４１、２３１１  固定槽
２１０１  距離
２３１２  凹縁
【図１】
0003122236.tif 000003
【図２】
0003122236.tif 000004
【図３】
0003122236.tif 000005
【図４】
0003122236.tif 000006
【図５】
0003122236.tif 000007
【図６】
0003122236.tif 000008
【図７】
0003122236.tif 000009
【図８】
0003122236.tif 000010
【図９】
0003122236.tif 000011
【図１０】
0003122236.tif 000012
【図１１】
0003122236.tif 000013